(57)【要約】【課題】レシートの取り扱いが容易なレシートプリンタを提供する。【解決手段】レシートプリンタは、印字部、筐体、排出口、第１ガイド部、第２ガイド部、および突部を備える。印字部は、用紙に印字してレシートとする。筐体は、前記印字部を収納する。排出口は、前記筐体に設けられ、レシートが排出される。第１ガイド部は、前記排出口へ搬送されるレシートの先端を保持して、前記レシートをループ状に撓ませ、撓ませた部分が前記レシートの先端および後端よりも先に前記排出口から排出されるよう前記レシートを案内する。第２ガイド部は、前記排出口から撓んだ状態で排出される前記レシートの後端側が上になり、前記レシートの先端側が下になるように、前記レシートを案内する。突部は、前記筐体の上面から突出して設けられ、前記レシートの前記排出口から排出された部分の少なくとも中央部を支えて前記筐体の上面から離れて位置させる。【選択図】図２
2019018499.tif 000002
【特許請求の範囲】
【請求項１】
用紙に印字してレシートとする印字部と、
前記印字部を収納する筐体と、
前記筐体に設けられ、レシートが排出される排出口と、
前記排出口へ搬送されるレシートの先端を保持して、前記レシートをループ状に撓ませ、撓ませた部分が前記レシートの先端および後端よりも先に前記排出口から排出されるよう前記レシートを案内する第１ガイド部と、
前記排出口から撓んだ状態で排出される前記レシートの後端側が上になり、前記レシートの先端側が下になるように、前記レシートを案内する第２ガイド部と、
前記筐体の上面から突出して設けられ、前記レシートの前記排出口から排出された部分の少なくとも中央部を支えて前記筐体の上面から離れて位置させる突部と、
を備えるレシートプリンタ。
【請求項２】
前記突部は、前記レシートの幅方向に沿った寸法よりも前記レシートの長手方向に沿った寸法が長い形状であって、前記レシートの幅方向の中央部を支える位置に設けられている
ことを特徴とする請求項１に記載のレシートプリンタ。
【請求項３】
前記突部は、前記レシートの長手方向に沿って前記筐体の上面からの距離が変わるアーチ状の上面を有する
ことを特徴とする請求項１または２に記載のレシートプリンタ。
【請求項４】
前記突部は、前記筐体に着脱自在である
ことを特徴とする請求項３に記載のレシートプリンタ。
【請求項５】
前記第１ガイド部は、先端を保持した前記レシートを、印字面が外側になる向きに撓ませるよう案内する
ことを特徴とする請求項１〜４のいずれか１項に記載のレシートプリンタ。
【発明の詳細な説明】
【技術分野】
【０００１】
本発明の実施形態は、レシートプリンタに関する。
【背景技術】
【０００２】
レシートプリンタは、購入した商品の情報（取引情報）をレシートに印字して排出する。購入した商品（アイテム数）が多いほどレシートに印字される情報量は増え、排出されるレシートが長くなる。レシートが長くなると、店員や顧客にとってレシートの取り扱いが煩わしくなる。
【０００３】
そこで、レシートの適当な箇所に折り畳み線を印字するプリンタが提案されている。この種のプリンタを用いることで、店員や顧客は、レシートを折り畳みやすくなる。しかしながら、レシートから排出されたばかりのレシートの取り扱いには、煩わしさが残る。
【発明の概要】
【発明が解決しようとする課題】
【０００４】
本発明が解決しようとする課題は、レシートの取り扱いが容易なレシートプリンタを提供することである。
【課題を解決するための手段】
【０００５】
実施形態のレシートプリンタは、印字部、筐体、排出口、第１ガイド部、第２ガイド部、および突部を備える。印字部は、用紙に印字してレシートとする。筐体は、前記印字部を収納する。排出口は、前記筐体に設けられ、レシートが排出される。第１ガイド部は、前記排出口へ搬送されるレシートの先端を保持して、前記レシートをループ状に撓ませ、撓ませた部分が前記レシートの先端および後端よりも先に前記排出口から排出されるよう前記レシートを案内する。第２ガイド部は、前記排出口から撓んだ状態で排出される前記レシートの後端側が上になり、前記レシートの先端側が下になるように、前記レシートを案内する。突部は、前記筐体の上面から突出して設けられ、前記レシートの前記排出口から排出された部分の少なくとも中央部を支えて前記筐体の上面から離れて位置させる。
【図面の簡単な説明】
【０００６】
【図１】図１は、実施形態に係るレシートプリンタを備える商品情報処理装置の外観を示す斜視図である。
【図２】図２は、レシートプリンタの外観を示す斜視図である。
【図３】図３は、レシートプリンタの内部の構成を示した模式図である。
【図４】図４は、排出口ガイド部の噛合状態を示した図である。
【図５】図５は、レシートを撓ませて排出するレシートプリンタを示した模式図である。
【図６】図６は、レシートを撓ませずに排出するレシートプリンタを示した模式図である。
【図７】図７は、突部をレシートプリンタの他要素とともに模式的に示した側面図である。
【図８】図８は、レシートプリンタを模式的に示した平面図である。
【図９】図９は、レシートプリンタの構成を示したブロック図である。
【図１０】図１０は、レシートプリンタが実行する処理の流れを概略的に示したフローチャートである。
【発明を実施するための形態】
【０００７】
以下、実施形態について図面を参照しながら説明する。なお、図中、同一または同等の部分には同一の符号を付す。図１は、本実施形態に係るレシートプリンタ１０を備える商品情報処理装置１の外観を示す斜視図である。
【０００８】
商品情報処理装置１は、例えば、ＰＯＳ（Point  Of  Sales）端末等である。商品情報処理装置１は、スーパーマーケットやコンビニエンスストア等の店舗において顧客が購入した商品の会計処理を行う。商品情報処理装置１は、店舗が備えるストアサーバとネットワークを介して接続され、ストアサーバとの間で通信を行う。
【０００９】
図２は、レシートプリンタ１０の外観を示す斜視図である。レシートプリンタ１０は、顧客が購入した商品の情報（取引情報）をレシートに印字して排出する。レシートプリンタ１０は、例えばサーマルプリンタ等の印字装置が筐体１０ａに収納されて構成される。以下の説明では、レシートプリンタ１０から排出されたレシートを受け取るユーザ（店員や顧客）に近い側を「前側」、その反対側を「後側」と称する。
【００１０】
図３は、レシートプリンタ１０の内部の構成を示した模式図である。レシートプリンタ１０は、ロール紙ＰＲが着脱可能に設けられ、ロール紙ＰＲから引き出された用紙がレシートとして用いられる。また、レシートプリンタ１０は、搬送部１４と、印字部１５と、切断部１６と、排出口ガイド部１７と、排出口１８と、排出後ガイド部１９とを備える。
【００１１】
搬送部１４は、排出口１８までの搬送経路に設けられた搬送機構である。搬送部１４は、ロール紙ＰＲからのレシートＳｒの引き出しおよびレシートＳｒの排出口１８に向けた搬送を行う。搬送部１４は、例えば、駆動ローラと従動ローラとから構成される。駆動ローラは、制御部１１（図９参照）の制御のもと回転する。従動ローラは、駆動ローラの回転に従って回転する。駆動ローラと従動ローラとは搬送経路を間に挟んで対向して設けられる。なお、図３では、搬送部１４は１箇所に配置されているが、複数箇所に配置されてもよい。
【００１２】
印字部１５は、顧客が購入した商品の情報（取引情報）をレシートＳｒに印字する印字機構である。印字部１５は、搬送部１４とロール紙ＰＲとの間に設けられている。また、印字部１５は、例えば、サーマル方式のプリントユニットから構成され、サーマルヘッド１５１とプラテンローラ１５２とを備える。
【００１３】
サーマルヘッド１５１およびプラテンローラ１５２は、制御部１１によって制御される。サーマルヘッド１５１は、プラテンローラ１５２と対向する位置に設けられる。サーマルヘッド１５１は、複数の発熱素子を有し、制御部１１から受け取った制御信号に応じて発熱素子を発熱させることにより、レシートＳｒに取引情報を印字する。取引情報は、例えば１ドットライン毎に印字される。
【００１４】
プラテンローラ１５２は、ステッピングモータ（不図示）の回転力が変速ギアを介して伝達されることにより回転する。ステッピングモータは、制御部１１から受け取った制御信号に応じて所定のステップ角単位で回転する。なお、搬送部１４は、プラテンローラ１５２から構成されてもよい。つまり、ロール紙ＰＲからのレシートＳｒの引き出しおよびレシートＳｒの排出口１８に向けた搬送が、プラテンローラ１５２の回転により行われるよう構成されてもよい。
【００１５】
切断部１６は、ロール紙ＰＲから引き出されたレシートＳｒを切断する切断機構である。切断部１６は、搬送部１４と排出口ガイド部１７との間に設けられている。切断部１６は、例えば、スライド式カッタから構成され、可動刃と固定刃とを備える。可動刃は、固定刃に摺動可能に設けられる。可動刃は、制御部１１から受け取った制御信号に応じて摺動され、固定刃との間に配置されたレシートＳｒを切断する。
【００１６】
切断部１６は、フルカットおよびパーシャルカットの２通りの切断方法によってレシートＳｒを切断する。フルカットは、排出対象のレシートＳｒを排出対象外のレシートＳｒから完全に分離する切断方法である。一方、パーシャルカットは、排出対象のレシートＳｒを排出対象外のレシートＳｒから完全に分離せず、切断しない箇所（非切断部）を残す切断方法である。非切断部は、１箇所でもよいし、用紙幅方向の複数箇所に設けられていてもよい。パーシャルカットは、排出されたレシートＳｒがレシートプリンタ１０内部に落下等することを防いで、紙詰まりを防止するなどの目的で行われる。フルカットは、パーシャルカットによる非切断部を引きちぎった見た目が好ましくないとされる場合に対応する（つまりレシートの見た目を美しくする）などの目的で行われる。
【００１７】
排出口ガイド部１７は、第１ガイド部の一例であって、排出対象のレシートＳｒを排出口１８に向けて案内する。排出口ガイド部１７は、排出口１８よりも排出方向上流（排出口１８の手前）に設けられている。例えば、排出口ガイド部１７は、排出口１８より後側の位置に設けられる。
【００１８】
図４は、排出口ガイド部１７の噛合状態を示した図である。排出口ガイド部１７は、係合部材１７１と被係合部材１７２とを備える。係合部材１７１および被係合部材１７２は、それぞれ、櫛歯状の凹凸形状を有し、互いの凹凸形状が少なくとも一部分で噛み合うように、配置されている。
【００１９】
第１の形態の排出口ガイド部１７は、係合部材１７１と被係合部材１７２とが噛み合って、図３に示すようなＶ字状に配置される。また、このときの排出口ガイド部１７は、Ｖ字の開放された方向が切断部１６を向くように配置される。これにより、切断部１６を通過したレシートＳｒの先端は、排出口ガイド部１７のＶ字の閉じた部分に進入し、当該部分によってクランプ（挟持）される。つまり、第１の形態の排出口ガイド部１７は、レシートＳｒの先端部を挟み持った状態で保持する。
【００２０】
係合部材１７１と被係合部材１７２は、回転軸１７１ａ，１７２ａを備え、それぞれ回転軸１７１ａ，１７２ａを中心に回転可能に設けられている。係合部材１７１と被係合部材１７２は、制御部１１から受け取った制御信号に応じて、回転軸１７１ａ，１７２ａを中心に回転する。
【００２１】
ここで、図５は、レシートＳｒを撓ませて排出するレシートプリンタ１０を示した模式図であり、図６は、レシートＳｒを撓ませずに排出するレシートプリンタ１０を示した模式図である。係合部材１７１と被係合部材１７２の回転により、排出口ガイド部１７は、図５に示す第１の形態、または、図６に示す第２の形態に、切り替えられる。第１の形態の排出口ガイド部１７は、レシートＳｒをループ状に撓ませて、排出口１８に案内する。また、第２の形態の排出口ガイド部１７は、レシートＳｒをループ状に撓ませずに、排出口１８に案内する。
【００２２】
排出口ガイド部１７にレシートＳｒの先端が挟持された状態で、さらにレシートＳｒが排出方向に搬送されると、レシートＳｒの先端と後端との間でレシートＳｒがループ状に撓み、図５に示すように、当該撓んだ部分がレシートＳｒの先端および後端よりも先に排出口１８から排出される。
【００２３】
一方、第２の形態の排出口ガイド部１７は、係合部材１７１と被係合部材１７２とが互いに離れ、切断部１６を通過したレシートＳｒの搬送方向を変える。この場合、レシートＳｒは、その先端が排出口ガイド部１７によって挟持されない。つまり、第２の形態の排出口ガイド部１７は、図６に示すように、レシートＳｒをループ状に撓ませず、レシートＳｒの先端から後端の順で排出されるようレシートＳｒを排出口１８に案内する。
【００２４】
排出後ガイド部１９は、第２ガイド部の一例であって、排出口１８よりも排出方向下流側に設けられ、一対のガイド片１９ａ，１９ｂを備える。ガイド片１９ａ，１９ｂは、排出口１８から延設され、排出口１８から排出されたレシートＳｒを案内するガイド路を構成する。排出後ガイド部１９は、レシートＳｒが送られる向きを後方（レシートプリンタ１０の後側）へ向ける形状を有している。この形状は、具体的には、例えば、図５，６に図示する湾曲形状である。
【００２５】
排出口１８からレシートプリンタ１０の前側に向けて排出されたレシートＳｒは、排出後ガイド部１９の湾曲形状に沿って移動することにより、レシートプリンタ１０の後側の方向に傾き、後端側の印字面が上向きで先端側の印字面が下向きの姿勢になる。
【００２６】
レシートＳｒは、一般的に、合計金額（購入金額）や預かり金額、つり銭等が最後の方に印字される。また、本実施形態の印字部１５においては、排出口１８を通過時のレシートＳｒの印字面が前側を向きユーザと対面するように、サーマルヘッド１５１およびプラテンローラ１５２が配置されている。これにより、レシートＳｒの印字面は、ループの外側になる。このため、ユーザは、排出されたレシートＳｒを手に取る前から、レシートＳｒに印字された合計金額等を、確認することができる。
【００２７】
また、図６に示すように、ループ状に撓ませずにレシートＳｒが排出される場合も、排出口１８から排出されたレシートＳｒは、排出後ガイド部１９によって、レシートプリンタ１０の後側の方向に傾く。これにより、レシートＳｒは、取引情報が印字された面が上面、取引情報が印字されていない面が下面になって、排出される。このため、ユーザは、レシートＳｒが排出された状態で全ての取引情報を確認できる。
【００２８】
なお、レシートプリンタ１０の前側に位置するガイド片１９ａは、透明または半透明な材料によって形成されてもよい。これにより、ユーザは、ガイド片１９ａに隠れたレシートＳｒ後端に印字された取引情報を確認できる。
【００２９】
ここで、本実施形態のレシートプリンタ１０は、さらに、突部２０（図２参照）を備えている。突部２０は、レシートプリンタ１０の筐体１０ａの上面１０１に、設けられている。図７は、突部２０を、レシートプリンタ１０の他要素とともに模式的に示した側面図であり、図８は、レシートプリンタ１０を模式的に示した平面図である。
【００３０】
本実施形態の突部２０は、レシートＳｒの長手方向に沿って筐体１０ａの上面１０１からの距離が変わるアーチ状の上面２１および一対の側面２３を有している。つまり、上面２１は、図７に示す側面視では略円弧状、図８に示す平面視では矩形状の形状を有している。
【００３１】
突部２０は、長手方向をレシートプリンタ１０の奥行（前後）方向に沿わせ、短手方向をレシートプリンタ１０の幅方向に沿わせて設けられている。突部２０は、前端部２２がガイド片１９ｂに接する位置から、排出口１８の後方に、配置されている。
【００３２】
図８に示すように、突部２０の短手方向の寸法は、レシートＳｒとされる用紙の幅方向寸法よりも小さく、例えば半分程度の長さである。また、突部２０は、レシートＳｒの幅方向中央部に位置する。
【００３３】
図７に示すように、レシートＳｒは、突部２０の上面２１に乗る状態に排紙される。突部２０は、レシートＳｒの排出口１８から排出された部分の少なくとも中央部を支え、当該中央部を筐体１０ａの上面１０１から離れた位置に位置させる。
この状態では、ユーザは、突部２０の上に乗ったレシートＳｒの下であって突部２０の側部の空間に手指などを入れ込むことができる。これにより、ユーザは、容易にレシートＳｒを掴み取ることができる。
【００３４】
ここで、従来のように、突部２０が設けられていないと、レシートＳｒは、レシートプリンタ１０の上面１０１に略沿うように搬送される。巻き癖や用紙の腰にもよるが、場合によっては、レシートＳｒの下面とレシートプリンタ１０の上面１０１との間に隙間がないに近い状態になることがある。この場合には、ユーザの手指がレシートＳｒとレシートプリンタ１０との間に入れにくくなるので、顧客にレシートＳｒを手渡すのに時間がかかってしまう。
【００３５】
また、レシートプリンタ１０がループ状にレシートＳｒを排出した場合には、突部２０が存在しないと、ループの下側になっている部分は、レシートＳｒの腰によってレシートプリンタ１０に押し当てられ、ユーザの手指が入る隙間が生じにくい。これに対して、本実施形態のような、突部２０を備えるレシートプリンタ１０であれば、ループ状のレシートＳｒの下に、突部２０の側部の空間が存在しているので、ここに手指を差し込むことにより、ループの下側と上側とを併せて掴み取ることが容易に可能である。
【００３６】
次に、レシートプリンタ１０の制御系について、説明する。図９は、レシートプリンタ１０の構成を示したブロック図である。レシートプリンタ１０は、制御部１１と、通信部１２と、記憶部１３とを、さらに備えている。
【００３７】
通信部１２は、例えば、通信インタフェース装置から構成される。通信部１２は、商品情報処理装置１の制御装置（プロセッサ等）との間で通信を行う。通信部１２は、商品情報処理装置１から取引情報を含む印字ジョブデータを受け取り、これを制御部１１に供給する。
【００３８】
記憶部１３は、ＤＲＡＭ（Dynamic  Random  Access  Memory）、ＳＲＡＭ（Static  Random  Access  Memory）、フラッシュメモリ、ハードディスク等の記憶装置から構成される。記憶部１３は、制御部１１が各種処理を行うためのプログラムおよびデータ、制御部１１が各種処理を行うことにより生成、取得されたデータを記憶する。
【００３９】
制御部１１は、ＣＰＵ（Central  Processing  Unit）、ＣＰＵのメインメモリとして機能するＲＡＭ（Random  Access  Memory）等から構成される。なお、制御部１１は、一部がＡＳＩＣ（Application  Specific  Integrated  Circuit）等の専用回路から構成されてもよい。
【００４０】
制御部１１は、記憶部１３に記憶されたプログラムを実行する。これにより、制御部１１は、レシート長判別部１１ａ、排出口ガイド制御部１１ｂとして機能し、商品情報処理装置１から通信部１２を介して印字ジョブデータを受け取った場合に、図１０に示す処理を開始する。図１０は、レシートプリンタ１０が実行する処理の流れを概略的に示したフローチャートである。
【００４１】
はじめに、レシート長判別部１１ａが、排出対象のレシートＳｒの長さが基準を満たすか否かを判別する（ステップＳ１）。例えば、レシート長判別部１１ａは、印字ジョブデータに含まれる取引情報を基に、排出対象のレシートＳｒの排出方向（副走査方向）の長さを求める。レシート長判別部１１ａは、求めた長さが予め定められた閾値より大きい場合に基準を満たすと判別し（ステップＳ１のＹｅｓ）、求めた長さが閾値以下の場合に基準を満たさないと判別する（ステップＳ１のＮｏ）。なお、閾値は、あらかじめ定められて、記憶部１３などに記憶されている。
【００４２】
排出口ガイド制御部１１ｂは、レシート長判別部１１ａによる判別結果に従って、排出口ガイド部１７（回転軸１７１ａ，１７２ａ）を制御する。具体的には、レシート長判別部１１ａによって基準を満たすと判別された場合には（レシートＳｒの長さが閾値より大きい場合、ステップＳ１のＹｅｓ）、排出口ガイド制御部１１ｂは、排出口ガイド部１７を第１の形態とする（ステップＳ２）。この場合、排出口ガイド部１７の係合部材１７１と被係合部材１７２とは、Ｖ字状に噛み合う。
【００４３】
この状態で制御部１１は、レシートＳｒの搬送を搬送部１４に行わせ、レシートＳｒへの取引情報の印字を印字部１５に行わせる。切断部１６を通過したレシートＳｒの先端は、排出口ガイド部１７のＶ字の閉じた部分で挟持される。その後、さらにレシートＳｒが排出方向に搬送されると、レシートＳｒはループ状に撓み、当該撓んだ部分がレシートＳｒの先端および後端よりも先に排出口１８から排出される。また、排出口１８から排出されたレシートＳｒは、排出後ガイド部１９によって、先端側が下、後端側が上にされて搬送される。
【００４４】
制御部１１は、レシートＳｒへの印字およびレシートＳｒの搬送を、取引情報の印字が完了するまで継続して行う。なお、レシートＳｒをループ状に撓ませる場合は、撓ませない場合よりもレシートＳｒの搬送方向の長さが半減されるので、排出スピードが遅くなる。そのため、レシートＳｒを撓ませる場合（排出口ガイド部１７を第１の形態とする場合）は、レシートＳｒを撓ませない場合（排出口ガイド部１７を第２の形態とする場合）よりも搬送速度を高速で行うようにしてもよい。この場合、レシートＳｒが排出されるまでの時間が短縮され、精算処理時間の短縮を図ることができる。
【００４５】
一方、レシート長判別部１１ａによって基準を満たさないと判別された場合には（レシートＳｒの長さが閾値以下の場合、ステップＳ１のＮｏ）、排出口ガイド制御部１１ｂは、排出口ガイド部１７を第２の形態とする（ステップＳ３）。
【００４６】
この状態で制御部１１は、レシートＳｒへの印字およびレシートＳｒの搬送を取引情報の印字が完了するまで継続して行う。これにより、切断部１６を通過したレシートＳｒは、ループ状に撓まず、先端から後端の順に排出口１８に案内される。また、排出口１８から排出されたレシートＳｒは、排出後ガイド部１９によって、取引情報の印字された面が上向きにされて搬送される。
【００４７】
取引情報の印字が完了すると、制御部１１は、切断部１６を制御して、フルカットまたはパーシャルカットを実行する。以上により、一連のレシート排出処理が終了する。レシートプリンタ１０からは、レシートＳｒの後端側が上向きとなって排出されるので、ユーザは、レシートＳｒが排出された状態で合計金額等を確認できる。
【００４８】
なお、上述の処理において、切断部１６によるフルカットまたはパーシャルカットの選択は、レシート長に応じたものとしていないが、実施にあたっては、レシート長に応じてフルカットまたはパーシャルカットが自動的に選択されるように処理してもよい。例えば、ステップＳ２の後段に、切断部１６によりフルカットが行われるように設定するステップを入れ、ステップＳ３の後段に、切断部１６によりパーシャルカットが行われるように設定するステップを入れてもよい。
【００４９】
以上のように、本実施形態に係るレシートプリンタ１０によれば、排出口ガイド部１７によって、搬送されるレシートＳｒの先端が挟持されると、レシートＳｒの先端と後端との間でレシートＳｒがループ状に撓む。そして、当該撓んだ部分がレシートＳｒの先端および後端よりも先に排出口１８から排出される。これにより、排出されるレシートＳｒが長くても、ユーザは、レシートＳｒを容易に取り扱うことが可能となる。
【００５０】
また、レシートプリンタ１０では、排出後ガイド部１９によって、排出口１８から撓んだ状態で排出されたレシートＳｒの後端側が上となり、先端側が下となるように、レシートＳｒが排出方向下流に案内される。これにより、ユーザは、レシートＳｒを取り上げる前に合計金額等を確認することが可能となる。
【００５１】
また、排出口ガイド部１７は、レシートＳｒをループ状に撓ませて排出口１８に案内する第１の形態と、レシートＳｒをループ状に撓ませずに排出口１８に案内する第２の形態とに切り替え可能に設けられている。このため、レシートＳｒの排出態様を選択的に切り替えることができる。
【００５２】
さらに、レシートプリンタ１０は、排出対象のレシートＳｒの長さに応じて排出口ガイド部１７の第１の形態と第２の形態とを切り替えることができるので、排出対象のレシートＳｒの長さに応じた適切な態様でレシートＳｒを排出させることができる。
【００５３】
また、排出後ガイド部１９は、搬送されるレシートＳｒの方向がレシートプリンタ１０の後方を向くように形成されている。このため、ユーザは、レシートＳｒが排出された状態で、レシートＳｒの後端に印字された合計金額等を確認できる。
【００５４】
そして、レシートプリンタ１０が突部２０を備えたことにより、レシートＳｒの下面とレシートプリンタ１０の上面１０１との間に隙間ができるので、レシートＳｒを掴み取るユーザの手指をレシートＳｒの下に差し込みやすくすることができる。これにより、レシートＳｒの腰や巻き癖によらず、レシートＳｒを掴みやすい状態にすることができるので、店員等がレシートＳｒの掴み取りに時間をかけてしまうことがなくなるので、顧客に素早くレシートＳｒを手渡すことができ、好適である。
【００５５】
なお、突部２０は、図２、図７、図８に示すような形状を一例として説明したが、実施にあたっては、この形状に限らず、他の形状であってもよい。以下に、突部２０の変形例を記す。
【００５６】
（変形例）
例えば、突部２０は、図８のような平面視において図８に示すような矩形でなく、両の側面２３が窪んで長手方向中央部がくびれたような形状であってもよい。この場合には、図８に示す矩形の突部２０に比べ、レシートＳｒの下にユーザの手指をさらに深く差し込むことが可能になる。
【００５７】
また、例えば、突部２０は、正面視において、上面２１の短手方向中央部が窪んで低くなったような形状であってもよい。この場合には、レシートＳｒを、突部２０が両側面２３の縁部分で支えるようになり、当該両側面２３の間の部分はレシートＳｒに触れないので、搬送されるレシートＳｒとの間の摩擦が軽減される。
【００５８】
さらに、例えば、突部２０は、ロール紙ＰＲの巻き癖を考慮した形状であってもよい。つまり、レシートＳｒとして排出された状態での湾曲具合を想定し、当該湾曲を平坦に近づけるよう考慮した形状を、突部２０が有していてもよい。例えば、突部２０の上面２１が、側面視において湾曲の曲率半径より大きな半径の円弧を描く形状に、形成されていてもよい。
【００５９】
その他、上記実施形態では、レシートプリンタ１０がサーマルプリンタである場合を例に挙げて説明したが、レシートプリンタは、ドットインパクト方式、インクジェット方式、電子写真方式のプリンタであってもよい。
【００６０】
また、上記実施形態では、突部２０は筐体１０ａの上面１０１に設けられているが、実施にあたっては、突部２０は、筐体１０ａの上面１０１に着脱自在であってもよい。これにより、突部２０を必要に応じて装着するような使い方が可能となる。
【００６１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６２】
１    …商品情報処理装置
１０  …レシートプリンタ、１０ａ…筐体、１０１…上面
１１  …制御部、１１ａ…レシート長判別部、１１ｂ…排出口ガイド制御部
１２  …通信部
１３  …記憶部
１４  …搬送部
１５  …印字部、１５１…サーマルヘッド、１５２…プラテンローラ
１６  …切断部
１７  …排出口ガイド部（第１ガイド部）
１７１…係合部材、１７２…被係合部材、１７１ａ，１７２ａ…回転軸
１８  …排出口
１９  …排出後ガイド部（第２ガイド部）、１９ａ，１９ｂ…ガイド片
２０  …突部、２１…上面、２２…前端部、２３…側面
Ｓｒ  …レシート
ＰＲ  …ロール紙
【先行技術文献】
【特許文献】
【００６３】
【特許文献１】特開平１０−３０７９６９号公報
【図１】
2019018499.tif 000003
【図２】
2019018499.tif 000004
【図３】
2019018499.tif 000005
【図４】
2019018499.tif 000006
【図５】
2019018499.tif 000007
【図６】
2019018499.tif 000008
【図７】
2019018499.tif 000009
【図８】
2019018499.tif 000010
【図９】
2019018499.tif 000011
【図１０】
2019018499.tif 000012